(57)【特許請求の範囲】
【請求項１】
イヤホーンヘッドから延びるケーブルの先端に設けたプラグを音響機器に接続するようにしたイヤホーンにおいて、前記ケーブルのプラグ近傍箇所をクランプするためのクランパーを有し、該クランパーが、一つ割り円筒状のクランパー本体と、該クランパー本体の両側縁から側方に延びる左右一対の縁片とにより横断面略Ω状に形成された弾性材からなり、前記クランパー本体を前記ケーブルのプラグ近傍箇所に外嵌させ、前記両縁片を前記音響機器の筐体に形成した略Ｔ字状の凹溝に嵌入させてプラグの基端とクランパーの間のケーブルを略直線状に保持するようにしたことを特徴とするイヤホーン用ケーブルのクランプ装置。
【請求項２】
イヤホーンヘッドから延びるケーブルの先端に設けたプラグを音響機器に接続するようにしたイヤホーンにおいて、前記ケーブルのプラグ近傍箇所をクランプするためのクランパーを有し、該クランパーが、弾性材からなる一つ割円筒状のクランパー本体と、該クランパー本体の両側縁に一体突設された一対の突起部とからなり、前記クランパー本体を前記ケーブルのプラグ近傍箇所に外嵌させ、前記両突起部を前記音響機器の筐体に形成した嵌合孔に嵌入させてプラグの基端とクランパーの間のケーブルを略直線状に保持するようにしたことを特徴とするイヤホーン用ケーブルのクランプ装置。
【請求項３】
中央部に貫通孔が貫設された一つ割截頭円錐形の楔部材を有し、前記クランパー本体の内面のプラグ側端縁に外広がり状のテーパ面が形成されており、前記クランパー本体及び楔部材を前記ケーブルのプラグ近傍箇所に外嵌させ、楔部材のテーパ状外周面を前記クランパー本体のテーパ面に当接させるようにしたことを特徴とする請求項１または２記載のイヤホーン用ケーブルのクランプ装置。
【請求項４】
前記クランパー本体の内面に凸部が突設されており、その凸部により前記ケーブルが前記クランパー本体内に蛇行状に挿通されていることを特徴とする請求項１または２記載のイヤホーン用ケーブルのクランプ装置。
【発明の詳細な説明】
【０００１】
【発明の属する技術分野】
本発明は、例えばＭＤと略称される直径６４ｍｍの光ディスクや光磁気ディスク（以下、ディスクと称する）の再生や記録または消去を行うための携帯型ディスクプレーヤーなどの音響機器に接続されるイヤホーン用ケーブルのクランプ装置に関する。
【０００２】
【従来の技術】
従来、携帯型ディスクプレーヤーの一例として図９に示すものがある。これは、イヤホーンヘッド１から延びるケーブル２の先端に設けたプラグ３をプレーヤー本体４の筐体４ａに設けたジャック５に接続したものであって、プレーヤー本体４にディスクを装着し、そのプレーヤー本体４の操作部またはケーブル２の途中に設けたリモートコントロール用操作部６を例えば再生操作することにより、ディスクに記録されている情報が再生されてイヤホーンヘッド１から音声を発するようになっている。
【０００３】
【発明が解決しようとする課題】
上記従来の構成では、例えばケーブル２をプレーヤー本体４に巻き付けたりその巻き付けを解除する際などに、過大な引張力Ｐ１や曲げ力Ｐ２がケーブル２を介してプラグ３にかかり、これによって、プラグ３の根元で断線が生じたり、ジャック５の半田が剥がれたりする虞れがある。
【０００４】
そこで、例えば実開昭５７−３４６８０号公報に記載するケーブル巻取機をプレーヤー本体４に取り付けて、前記問題点を解消することが考えられるが、これでは、構成が複雑で製作費が高くつくと共に、前記ケーブル巻取機が嵩張るため、携帯に不便である。
【０００５】
本発明は、上記従来の欠点に鑑み、嵩張らず簡単な構成でイヤホーン用ケーブルのプラグ近傍箇所を確実にクランプすることができるイヤホーン用ケーブルのクランプ装置を提供すること目的としている。
【０００６】
【課題を解決するための手段】
上記目的を達成するため、請求項１記載の発明は、イヤホーンヘッドから延びるケーブルの先端に設けたプラグを音響機器に接続するようにしたイヤホーンにおいて、前記ケーブルのプラグ近傍箇所をクランプするためのクランパーを有し、該クランパーが、一つ割り円筒状のクランパー本体と、該クランパー本体の両側縁から側方に延びる左右一対の縁片とにより横断面略Ω状に形成された弾性材からなり、前記クランパー本体を前記ケーブルのプラグ近傍箇所に外嵌させ、前記両縁片を前記音響機器の筐体に形成した略Ｔ字状の凹溝に嵌入させてプラグの基端とクランパーの間のケーブルを略直線状に保持するようにしたことを特徴としている。
【０００７】
上記構成によれば、音響機器の筐体に取り付けたクランパーによりケーブルのプラグ近傍箇所をクランプしており、ケーブルを介して過大な引張力や曲げ力がプラグにかかることがないため、そのプラグの根元で断線が生じたり、ジャックの半田が剥がれたりする虞れがなく、信頼性が高い。
【０００８】
しかも、クランパー本体をケーブルのプラグ近傍箇所に外嵌させ、左右一対の縁片を筐体の凹溝に嵌入させるだけで、クランパー本体が縮径してケーブルに圧接されるので、ケーブルのプラグ近傍箇所を確実にクランプすることができる。
また、構成が簡単で製作費が安くつき、嵩張らない。
【０００９】
請求項２記載の発明は、イヤホーンヘッドから延びるケーブルの先端に設けたプラグを音響機器に接続するようにしたイヤホーンにおいて、前記ケーブルのプラグ近傍箇所をクランプするためのクランパーを有し、該クランパーが、弾性材からなる一つ割円筒状のクランパー本体と、該クランパー本体の両側縁に一体突設された一対の突起部とからなり、前記クランパー本体を前記ケーブルのプラグ近傍箇所に外嵌させ、前記両突起部を前記音響機器の筐体に形成した嵌合孔に嵌入させてプラグの基端とクランパーの間のケーブルを略直線状に保持するようにしたことを特徴としている。
【００１０】
上記構成によれば、クランパー本体をケーブルのプラグ近傍箇所に外嵌させ、一対の突起部を筐体の嵌合孔に嵌入させるだけで、クランパー本体が縮径してケーブルに圧接されるので、ケーブルのプラグ近傍箇所を確実にクランプすることができる。
【００１１】
請求項３記載の発明は、請求項１または２記載の発明において、中央部に貫通孔が貫設された一つ割截頭円錐形の楔部材を有し、前記クランパー本体の内面のプラグ側端縁に外広がり状のテーパ面が形成されており、前記クランパー本体及び楔部材を前記ケーブルのプラグ近傍箇所に外嵌させ、楔部材のテーパ状外周面を前記クランパー本体のテーパ面に当接させるようにしたことを特徴としている。
【００１２】
上記構成によれば、ケーブルにかかる過大な引張力や曲げ力により楔部材がクランパー本体のテーパ面に押し付けられ、その楔部材が縮径してケーブルに圧接されるので、ケーブルのプラグ近傍箇所を確実にクランプすることができる。
【００１３】
請求項４記載の発明は、請求項１または２記載の発明において、前記クランパー本体の内面に凸部が突設されており、その凸部により前記ケーブルが前記クランパー本体内に蛇行状に挿通されていることを特徴としている。
【００１４】
上記構成によれば、クランパー本体の内面に突設した凸部によりケーブルが該クランパー本体内に蛇行状に挿通されており、ケーブルにかかる過大な引張力や曲げ力によりそのケーブルが前記凸部に押し付けられるので、ケーブルのプラグ近傍箇所を確実にクランプすることができる。
【００１５】
【発明の実施の形態】
以下、本発明の実施の形態を図面に基づいて説明する。図１は本発明の第１の実施の形態であるイヤホーン用ケーブルのクランプ装置を備えた携帯型ディスクプレーヤーを示すものであって、ケーブル２のプラグ近傍箇所をクランプするためのクランパー８がプレーヤー本体（音響機器）４の筐体４ａに取り付けられている。上記以外の構成は図９に示す従来例とほぼ同じであるから、同一部分に同一符号を付してその説明を省略する。
【００１６】
前記クランパー８は、図２〜図４にも示すように、一つ割り円筒状のクランパー本体８ａと、該クランパー本体８ａの両側縁から側方に延びる左右一対の縁片８ｂとにより横断面略Ω状に形成されたゴムなどの弾性材からなっている。また、前記筐体４ａの側面角部からジャック設置面にかけて略Ｔ字状の凹溝９が形成されている。
【００１７】
上記構成において、クランパー本体８ａをケーブル２のプラグ近傍箇所に外嵌させ、両縁片８ｂを凹溝９に嵌入させるだけで、クランパー本体８ａが縮径してケーブル２に圧接されるので、ケーブル２のプラグ近傍箇所を確実にクランプすることができる。
【００１８】
この場合、ケーブル２に過大な引張力Ｐ１や曲げ力Ｐ２がかかっても、その引張力Ｐ１や曲げ力Ｐ２をクランパー８で阻止してプラグ３にかからないようにしているので、従来のように、プラグ３の根元で断線が生じたり、ジャック５の半田が剥がれたりする虞れがなく、信頼性が高い。また、構成が簡単で製作費を安くすることができ、嵩張ることもないから、携帯に便利である。
【００１９】
図５及び図６は本発明の第２の実施の形態であるイヤホーン用ケーブルのクランプ装置を備えた携帯型ディスクプレーヤー（音響機器）の要部を示すものであって、クランパー８が、ゴムなどの弾性材からなる一つ割円筒状のクランパー本体８ａと、該クランパー本体８ａの両側縁に一体突設された一対の突起部８ｃとからなっており、その両突起部８ｃの外周面中央部に凹段部１０が形成されると共に、該凹段部１０から突起部８ｃの先端にかけて先すぼまり状の傾斜面１１が形成されている。また、前記筐体４ａのジャック設置面に矩形嵌合孔１２が形成されている。上記以外の構成は第１の実施の形態とほぼ同じであるから、同一部分に同一符号を付してその説明を省略する。
【００２０】
上記構成において、クランパー本体８ａをケーブル２のプラグ近傍箇所に外嵌させ、両突起部８ｃを嵌合孔１２に押し込むだけで、その両突起部８ｃの傾斜面１１が嵌合孔１２の側縁に沿って移動されて、凹段部１０が嵌合孔１２の周縁に嵌合され、両突起部８ｃが嵌合孔１２に嵌入される。これにより、クランパー本体８ａが縮径してケーブル２に圧接されるので、ケーブル２のプラグ近傍箇所を確実にクランプすることができる。
【００２１】
上記構成によれば、第１の実施の形態と同様に、ケーブル２のプラグ近傍箇所を確実にクランプすることができる。
【００２２】
図７は本発明の第３の実施の形態であるイヤホーン用ケーブルのクランプ装置を備えた携帯型ディスクプレーヤーの要部を示すものであって、中央部に貫通孔１４が貫設された一つ割截頭円錐形の楔部材１５を有し、クランパー本体８ａの内面のプラグ側端縁に外広がり状のテーパ面１６が形成されており、クランパー本体８ａ及び楔部材１５をケーブル２のプラグ近傍箇所に外嵌させ、その楔部材１５のテーパ状外周面をクランパー本体８ａのテーパ面１６に当接させている。上記以外の構成は第１、第２の実施の形態とほぼ同じであるから、同一部分に同一符号を付してその説明を省略する。
【００２３】
上記構成によれば、ケーブル２にかかる過大な引張力Ｐ１や曲げ力Ｐ２により楔部材１５がクランパー本体８ａのテーパ面１６に押し付けられ、その楔部材１５が縮径してケーブル２に圧接されるので、ケーブル２のプラグ近傍箇所を確実にクランプすることができる。
【００２４】
図８は本発明の第４の実施の形態であるイヤホーン用ケーブルのクランプ装置を備えた携帯型ディスクプレーヤーの要部を示すものであって、クランパー本体８ａの内面に凸部１８が所定間隔をおいて複数突設されており、その各凸部１８によりケーブル２がクランパー本体８ａ内に蛇行状に挿通されている。
【００２５】
上記構成によれば、ケーブル２にかかる過大な引張力Ｐ１や曲げ力Ｐ２により該ケーブル２がクランパー本体８ａの内面に突設した各凸部１８に押し付けられるので、そのケーブル２を確実にクランプすることができる。
【００２６】
上記各実施の形態では、携帯型ディスクプレーヤーを例に上げて説明したが、これに限定されるわけではなく、例えば携帯型磁気テープ装置などの各種音響機器に適用することができる。
【００２７】
【発明の効果】
請求項１記載の発明によれば、音響機器の筐体に取り付けたクランパーによりケーブルのプラグ近傍箇所をクランプしており、ケーブルを介して過大な引張力や曲げ力がプラグにかかることがないため、そのプラグの根元で断線が生じたり、ジャックの半田が剥がれたりする虞れがなく、信頼性が高い。
【００２８】
しかも、クランパー本体をケーブルのプラグ近傍箇所に外嵌させ、左右一対の縁片を筐体の凹溝に嵌入させるだけで、クランパー本体が縮径してケーブルに圧接されるので、ケーブルのプラグ近傍箇所を確実にクランプすることができる。また、構成が簡単で製作費が安くつき、嵩張らない。
【００２９】
請求項２記載の発明によれば、クランパー本体をケーブルのプラグ近傍箇所に外嵌させ、一対の突起部を筐体の嵌合孔に嵌入させるだけで、クランパー本体が縮径してケーブルに圧接されるので、ケーブルのプラグ近傍箇所を確実にクランプすることができる。
【００３０】
請求項３記載の発明によれば、ケーブルにかかる過大な引張力や曲げ力により楔部材がクランパー本体のテーパ面に押し付けられ、その楔部材が縮径してケーブルに圧接されるので、ケーブルのプラグ近傍箇所を確実にクランプすることができる。
【００３１】
請求項４記載の発明によれば、クランパー本体の内面に突設した凸部によりケーブルが該クランパー本体内に蛇行状に挿通されており、ケーブルにかかる過大な引張力や曲げ力によりそのケーブルが前記凸部に押し付けられるので、ケーブルのプラグ近傍箇所を確実にクランプすることができる。
【図面の簡単な説明】
【図１】  本発明の第１の実施の形態であるイヤホーン用ケーブルのクランプ装置を備えた携帯型ディスクプレーヤーを示す斜視図である。
【図２】  同要部の分解斜視図である。
【図３】  同要部の拡大横断面図である。
【図４】  同要部の拡大縦断面図である。
【図５】  本発明の第２の実施の形態であるイヤホーン用ケーブルのクランプ装置を備えた携帯型ディスクプレーヤーを示す要部の斜視図である。
【図６】  同要部の拡大横断面図である。
【図７】  本発明の第３の実施の形態であるイヤホーン用ケーブルのクランプ装置を備えた携帯型ディスクプレーヤーを示す要部の拡大縦断面図である。
【図８】  本発明の第４の実施の形態であるイヤホーン用ケーブルのクランプ装置を備えた携帯型ディスクプレーヤーを示す要部の拡大縦断面図である。
【図９】  従来例を示す斜視図である。
【符号の説明】
１      イヤホーンヘッド
２      ケーブル
３      プラグ
４      プレーヤー本体（音響機器）
８      クランパー
８ａ    クランパー本体
８ｂ    縁片
８ｃ    突起部
９      凹溝
１２    嵌合孔
１４    貫通孔
１５    楔部材
１６    テーパ面
１８    凸部
【図１】
0003879957.tif 000002
【図２】
0003879957.tif 000003
【図３】
0003879957.tif 000004
【図４】
0003879957.tif 000005
【図５】
0003879957.tif 000006
【図６】
0003879957.tif 000007
【図７】
0003879957.tif 000008
【図８】
0003879957.tif 000009
【図９】
0003879957.tif 000010